(57)【要約】      （修正有）【課題】機器のシステムを、複数のサービス信号に選局する選局方法を提供する。【解決手段】本選局方法では、第１及び第２の選局処理Ｐ１，Ｐ２を用いる。第１の選局処理Ｐ１では、潜在的サービス信号の搬送波信号を検索及び検出し、潜在的サービス信号の潜在的サービスの周波数を判定する。第２の選局処理Ｐ２では、判定された周波数に基づいて、サービス信号に対応するサービスをシステムに登録する。【選択図】図２
2006270933.tif 000002
【特許請求の範囲】
【請求項１】
機器のシステム（１０）を、複数のサービス（ｓ１，…，ｓｎ）に対応する複数のサービス信号（Ｓ１，…，Ｓｎ）に選局する選局方法において、
潜在的サービス信号（Ｓ１，…，Ｓｎ）の搬送波信号（Ｃ１，…，Ｃｎ）を検索及び検出し、該潜在的サービス信号（Ｓ１，…，Ｓｎ）の周波数（ｆ１，…，ｆｎ）を判定する第１の選局処理（Ｐ１）を実行するステップと、
上記判定された周波数（ｆ１，…，ｆｎ）に基づいて、上記サービス信号（Ｓ１，…，Ｓｎ）に対応する上記サービス（ｓ１，…，ｓｎ）を上記システム（１０）に登録する第２の選局処理（Ｐ２）を実行するステップとを有する選局方法。
【請求項２】
上記第１の選局処理（Ｐ１）は、上記サービス（ｓ１，…，ｓｎ）の上記潜在的サービス信号（Ｓ１，…，Ｓｎ）の検出された搬送波信号（Ｃ１，…，Ｃｎ）の上記周波数（ｆ１，…，ｆｎ）を、上記第２の選局処理（Ｐ２）に直接供給することを特徴とする請求項１記載の選局方法。
【請求項３】
上記第２の選局処理（Ｐ２）は、上記潜在的サービス（ｓ１，…，ｓｎ）の潜在的サービス信号（Ｓ１，…，Ｓｎ）の検出された搬送波信号（Ｃ１，…，Ｃｎ）の上記検出された周波数（ｆ１，…，ｆｎ）を、上記第１の選局処理（Ｐ１）から直接受け取ることを特徴とする請求項１又は２記載の選局方法。
【請求項４】
上記第１及び第２の選局処理（Ｐ１、Ｐ２）又はその一部は、並列的に実行されることを特徴とする請求項１乃至３いずれか１項記載の選局方法。
【請求項５】
上記第１及び第２の選局処理（Ｐ１、Ｐ２）又はその一部は、連続的に実行されることを特徴とする請求項１乃至４いずれか１項記載の選局方法。
【請求項６】
上記潜在的サービス（ｓ１，…，ｓｎ）の潜在的サービス信号（Ｓ１，…，Ｓｎ）の検出された搬送波信号（Ｃ１，…，Ｃｎ）の判定された周波数（ｆ１，…，ｆｎ）のそれぞれは、該各周波数（ｆ１，…，ｆｎ）が判定された直後に上記第２の選局処理（Ｐ２）に供給されることを特徴とする請求項５記載の選局方法。
【請求項７】
上記潜在的サービス（ｓ１，…，ｓｎ）の潜在的サービス信号（Ｓ１，…，Ｓｎ）の検出された搬送波信号（Ｃ１，…，Ｃｎ）の判定された周波数（ｆ１，…，ｆｎ）は、該判定された周波数（ｆ１，…，ｆｎ）のサブセットからなるグループ毎に上記第２の選局処理（Ｐ２）に供給されることを特徴とする請求項５記載の選局方法。
【請求項８】
上記潜在的サービス（ｓ１，…，ｓｎ）の潜在的サービス信号（Ｓ１，…，Ｓｎ）の検出された搬送波信号（Ｃ１，…，Ｃｎ）の判定された周波数（ｆ１，…，ｆｎ）は、複数の周波数（ｆ１，…，ｆｎ）の全体が判定された後に、所定のタイミングで、一括して上記第２の選局処理（Ｐ２）に供給されることを特徴とする請求項５記載の選局方法。
【請求項９】
上記第１の選局処理（Ｐ１）は、
検索周波数（ｆｓ）の値として、開始周波数（ｆ０）を設定するステップ（１ａ）と、
上記検索周波数（ｆｓ）の値を増加するステップ（２ａ）と、
上記検索周波数（ｆｓ）の各値について、可能なサービス（ｓ１，…，ｓｎ）又はサービス信号（Ｓ１，…，Ｓｎ）を検出するステップ（５ａ）とを有することを特徴とする請求項１乃至８いずれか１項記載の選局方法。
【請求項１０】
上記第２の選局処理（Ｐ２）は、
上記サービス（ｓ１，…，ｓｎ）又はサービス信号（Ｓ１，…，Ｓｎ）の周波数（ｆ１，…，ｆｎ）の値を受け取るステップ（１ｂ）と、
上記受け取った周波数（ｆ１，…，ｆｎ）の各値について、観測周波数（ｆｏ）を該周波数（ｆ１，…，ｆｎ）に設定するステップと、
上記観測周波数（ｆｏ）において、上記各サービス（ｓ１，…，ｓｎ）又は各サービス信号（Ｓ１，…，Ｓｎ）を観測するステップと、
上記観測されたサービス（ｓ１，…，ｓｎ）又は上記観測されたサービス信号（Ｓ１，…，Ｓｎ）から情報データ（ＩＤ）を抽出するステップと、
上記情報データ（ＩＤ）を保存するステップとを有する請求項１乃至９いずれか１項記載の選局方法。
【請求項１１】
第１のチューナ機器（Ｔ１）を用いて上記第１の選局処理（Ｐ１）を実行するステップと、
第２のチューナ機器（Ｔ２）を用いて上記第２の選局処理（Ｐ２）を実行するステップとを更に有する請求項１乃至１０いずれか１項記載の選局方法。
【請求項１２】
上記第１のチューナ機器（Ｔ１）は、第１の選局処理（Ｐ１）を実行し、及び上記第２のチューナ機器（Ｔ２）と通信する処理のための最小限の技術的要素のみを有することを特徴とする請求項１１記載の選局方法。
【請求項１３】
第２のチューナ機器（Ｔ２）は、上記第２の選局処理（Ｐ２）を実行し、上記第１のチューナ機器（Ｔ１）と通信する（ＣＣ）の処理のための最小限の技術的要素のみを有することを特徴とする請求項１１又は１２記載の選局方法。
【請求項１４】
システム（１０）を選局するための、請求項１乃至１３いずれか１項記載の選局方法及び該選局方法のステップを実行するための手段を備える受信機を含む選局装置。
【請求項１５】
上記システム（１０）を選局するための、請求項１乃至１３いずれか１項記載の選局方法及び該選局方法のステップを実行するための特定用途向け集積回路を備える請求項１４記載の選局装置。
【請求項１６】
コンピュータ又はデジタル信号処理手段によって実行されて、システム（１０）を選局するための、請求項１乃至１３いずれか１項記載の選局方法及び該選局方法のステップを実行するコンピュータプログラム手段を備えるコンピュータプログラム製品。
【請求項１７】
請求項１６記載のコンピュータプログラム製品を備えるコンピュータにより読取可能な媒体。
【発明の詳細な説明】
【技術分野】
【０００１】
本発明は、システムを選局するための選局方法に関する。詳しくは、本発明は、複数の潜在的サービスに対応する複数のサービス信号にシステムを選局する選局方法に関する。より詳しくは、本発明は、高速な選局方法又は選局アルゴリズムに関する。
【背景技術】
【０００２】
近年、異なるユーザ機器等の間におけるデータ交換が益々重要になってきている。データの交換は、無線で、又はケーブルを介して、又は他の何らかの手法で実現される。多くの場合、異なるユーザ機器間でデータを通信するために、複数の異なるチャンネルがあり、これらの異なるチャンネルは、同時に存在することも多い。通信チャンネルを確立するためには、潜在的な受信機器を異なるチャンネルに選局し、送信機器及び受信機器の間で有効な通信を確立するために必要な情報を得る必要がある。このような通信チャンネルの確立又はその少なくとも一部は、所謂選局方法又は選局処理によって実現される。
【０００３】
なお、潜在的なサービスに対応する複数のサービス信号にシステムを選局するための周知の方法又は処理は、サービス信号を検出し、送信機器及び受信機器の間で通信チャンネルを確立するためのある技術的基準に関してサービス信号を分析するための異なる動作が必要であり、かなり時間が掛かるという問題がある。
【発明の開示】
【発明が解決しようとする課題】
【０００４】
そこで、本発明の目的は、潜在的サービスに対応する複数のサービス信号にシステムを選局する選局方法であって、選局時間を短縮し、且つ信頼できる手法で選局処理を実現できる選局方法を提供することである。
【課題を解決するための手段】
【０００５】
本発明の課題は、独立請求項１の特徴を有するシステムの選局方法によって解決される。本発明に係るシステムを選局するための選局方法の好適な実施形態は、従属請求項において定義されている。また、上述の課題は、請求項１４記載の選局装置、請求項１６記載のコンピュータプログラム製品、及び請求項１７記載のコンピュータにより読取可能な媒体によっても解決される。
【０００６】
本発明に係る選局方法は、機器のシステムを、複数のサービスに対応する複数のサービス信号に選局する選局方法において、潜在的サービス信号の搬送波信号を検索及び検出し、潜在的サービス信号の周波数を判定する第１の選局処理を実行するステップと、判定された周波数に基づいて、サービス信号に対応するサービスにシステムを登録する第２の選局処理を実行するステップとを有する。
【０００７】
このように、本発明の主な思想は、全体の選局処理を第１の選局処理及び第２の選局処理に分割し、単独のステップに基づいて及び／又は独立した技術的要素によって実行できるという意味で互いに独立した処理を個別に行うことである。第１の選局処理は、可能なサービス信号の搬送波信号及びこれらの各周波数を検索及び検出し、これらの周波数を第２の選局処理に供給するように設計され、第２の選局処理は、後の評価又は受信のために、受け取ることができるサービス信号に対応するサービスのプロパティに関するより深い解析を行い、基本的なサービスの特徴付けを行うように設計される。第２の選局処理を開始する前に、搬送波周波数を検出し、第２の選局処理に供給する必要がある点を除けば、これらの第１及び第２の選局処理は、互いに独立しているので、各選局回路は独立し、各選局処理を略々任意に設計することができる。したがって、従来の選局装置及び／又は選局方法に比べて、処理時間を短縮し、及び／又は回路を最適化する柔軟な設計が可能になる。
【０００８】
本発明に基づく、対応する複数のサービスの複数のサービス信号に機器のシステムを選局する選局方法の好適な実施形態では、第１の選局処理は、サービスの潜在的サービス信号の検出された搬送波信号の周波数を、第２の選局処理に、直接供給してもよい。
【０００９】
これに加えて又はこれに代えて、本発明に基づく、対応する複数のサービスの複数のサービス信号に機器のシステムを選局する選局方法の好適な実施形態では、第２の選局処理は、潜在的サービスの潜在的サービス信号の検出された搬送波信号の検出された周波数を、第１の選局処理から直接受け取ってもよい。
【００１０】
これに加えて又はこれに代えて、本発明に基づく、対応する複数のサービスの複数のサービス信号に機器のシステムを選局する選局方法の好適な実施形態では、第１及び第２の選局処理又はその一部は、並列的に実行してもよい。
【００１１】
更に、本発明に基づく、対応する複数のサービスの複数のサービス信号に機器のシステムを選局する選局方法の好適な実施形態では、第１及び第２の選局処理又はその一部は、連続的に実行してもよい。
【００１２】
この場合、本発明に基づく、対応する複数のサービスの複数のサービス信号に機器のシステムを選局する選局方法の好適な実施形態では、潜在的サービスの潜在的サービス信号の検出された搬送波信号の判定された周波数のそれぞれは、各周波数が判定された直後に第２の選局処理に供給してもよい。
【００１３】
これに代えて、本発明に基づく、対応する複数のサービスの複数のサービス信号に機器のシステムを選局する選局方法の好適な実施形態では、潜在的サービスの潜在的サービス信号の検出された搬送波信号の判定された周波数は、判定された周波数のサブセットからなるグループ毎に第２の選局処理に供給してもよい。
【００１４】
更にこれに代えて、本発明に基づく、対応する複数のサービスの複数のサービス信号に機器のシステムを選局する選局方法の好適な実施形態では、潜在的サービスの潜在的サービス信号の検出された搬送波信号の判定された周波数は、複数の周波数の全体が判定された後に、所定のタイミングで、一括して第２の選局処理に供給してもよい。
【００１５】
これに加えて又はこれに代えて、本発明に基づく、対応する複数のサービスの複数のサービス信号に機器のシステムを選局する選局方法の好適な実施形態では、第１の選局処理は、検索周波数の値として、開始周波数を設定するステップと、検索周波数の値を増加するステップと、検索周波数の各値について、可能なサービス又はサービス信号を検出するステップとを有していてもよい。
【００１６】
本発明に基づく、対応する複数のサービスの複数のサービス信号に機器のシステムを選局する選局方法の更に好適な実施形態では、第２の選局処理は、サービス又はサービス信号の周波数の値を受け取るステップと、受け取った周波数の各値について、観測周波数をこの周波数に設定するステップと、観測周波数において、各サービス又は各サービス信号を観測するステップと、観測されたサービス又は観測されたサービス信号から情報データを抽出するステップと、情報データを保存するステップとを有していてもよい。
【００１７】
第１のチューナ機器を用いて第１の選局処理を実行してもよい。第２のチューナ機器を用いて第２の選局処理を実行してもよい。
【００１８】
この場合、第１のチューナ機器は、第１の選局処理を実行し、及び第２のチューナ機器と通信する処理のための最小限の技術的要素のみを有していてもよい。
【００１９】
これに加えて又はこれに代えて、第２のチューナ機器は、第２の選局処理を実行し、第１のチューナ機器と通信するの処理のための最小限の技術的要素のみを有していてもよい。
【００２０】
本発明の更なる側面として、本発明は、上述したシステムを選局するための、本発明に基づく選局方法及び選局方法のステップを実行するための手段、特に特定用途向け集積回路（application specific integrated circuit：ＡＳＩＣ）又はこれに類する回路を備える選局装置、特に受信機を提供する。
【００２１】
更に、本発明の更なる側面として、本発明は、コンピュータ又はデジタル信号処理手段によって実行されて、システムを選局するための、本発明に基づく選局方法及び選局方法のステップを実行するコンピュータプログラム手段を備えるコンピュータプログラム製品を提供する。
【００２２】
更に、本発明は、上述したコンピュータプログラム製品を備えるコンピュータにより読取可能な媒体を提供する。
【００２３】
以下、本発明のこれらの及び更なる側面について更に説明する。
【００２４】
本発明は、特に、高速な選局方法及びアルゴリズムに関連する。
【００２５】
地上波、ケーブル又は衛星を介して信号を受信できる機器は、多くの場合、利用可能な信号及びそれらの特性を観測するために、自動選局処理を実行する必要がある。この処理は、長い時間を必要とすることが多い。本発明は、特に、機能が限定的な第２のチューナを用いて、時間を短縮する解決策を提案する。
【００２６】
テレビジョン受像機に、第１及び第２のチューナを設ける。ソフトウェアを複雑にしないために、１回のチューナスキャン処理を用いる。
【００２７】
ユーザは、最初に製品に電源を投入した際に、セットアップを行う。ここで時間が掛かると、それがユーザの製品に対する第一印象及びその後の印象になることがある。
【００２８】
ハードウェア及びソフトウェアの組合せにより、製品をプリセットするための時間が短縮される。これは、先に準備される。
【００２９】
この選局方法は、例えば、同じ種類の２つのチューナを有する機器のための高速アルゴリズムによって概説される。
【００３０】
概観
地上波、ケーブル又は衛星を介して信号を受信できる機器は、通常、特定のネットワーク内の利用可能な全てのプログラムのパラメータ及びプロパティを検索及び保存する自動インストール機能を提供する。この処理は、通常、サービスリストとして情報を保存する前に、検出された信号をそれぞれ分析する必要があるため、時間が掛かる。以下の思想は、殆どのハイエンド機器において使用可能な第２のチューナ及び信号パスを利用することによって、処理全体の時間を短縮するのに役立つ。このため、以下に説明する本発明により、第２の選局回路は、より単純化され、ハードウェアコストの増加を抑制できる。
【００３１】
従来の自動選局法
図３は、従来の自動選局アルゴリズムを示している。処理全体は、各タスクを順次連続的に実行する。ステップ１で開始周波数が選択され、ステップ２で周波数を増加した後、周波数範囲をチェックし（ステップ３）、周波数が範囲内である場合、対応するデータがチューナに送信される（ステップ４）。そして、基本的な基準に基づき、その周波数において、サービスが入手可能又は利用可能であるか否かを判定する（ステップ６）。サービスが検出されない場合、周波数を増加し、搬送波が検出されるまで、ステップ２、３、４、５を繰り返す。搬送波が検出された場合、次のステップ７において、例えば、ネットワーク識別情報又は特別なデータ放送等の高度な情報に関して信号を調べる。全ての情報が収集されると、関連する全てのサービスデータがサービスリストに保存される。
【００３２】
最適化された手法（２つのチューナを用いる解決策）
従来の手法では、２つの異なるタスクがあり、このために処理に時間が掛かっている。第１のタスクは、基本的な信号を検出するタスクであり、このために、基本的な信号条件が検出されるまで、選局周波数を継続的に変更する必要がある。第２のタスクは、検出された信号を観測し、特定のサービスに関する何らかの情報を抽出するタスクであり、これは、時間が掛かるタスクである。以下に説明する図面に示すように、本発明の基本的な発想は、処理全体を２つのタスクに分割することである。第１のタスクは、基本的な信号を検索し、選局パラメータを第２のタスクに渡すタスクであり、第２のタスクは、その周波数上で特定のサービスを調べ、サービスリストとして結果を保存するタスクである。
【００３３】
図２は、高度な自動選局処理を更に詳細に示している。本発明では、従来の単一のタスクジョブを２つの独立して実行されるタスクに分離する。第１のチューナのタスクは、搬送波を検索するタスクであり、第２のチューナのタスクは、検出された信号を解析し、結果を保存するタスクである。第１の選局処理Ｐ１のステップ１ａ、２ａ、３ａ、５ａ、６ａは、図３に示す従来の手法に対応する処理の少なくとも一部である。但し、第１の選局処理Ｐ１は、信号を解析することに代えて、周波数情報を含むメッセージを第２の選局処理Ｐ２に送る。これは、ステップ７ａにおいて実行される。この後、第１の選局処理Ｐ１は、周波数を一定間隔で増加又は低減し、次の搬送波ｃｊの検索を開始する。このループは、周波数範囲全体について続けられる。
【００３４】
そして、第２の選局処理Ｐ２は、メッセージを受け取り、参照された周波数に選局し、信号の解析を開始する。ここにおける処理は、少なくとも、図３に示す従来の手法のステップ４、５、７に対応する。有効なサービスｓｊが検出されると、関連する全てのデータＩＤが保存され、次の利用可能なメッセージが処理される。
【００３５】
タスクをどのように分割するかは、サービスの検出及びサービスの観測が、それぞれ複数のステップを含む場合がある点を考慮し、使用可能なハードウェア及び異なるステップに必要な時間に基づいて決定するとよい。
【００３６】
このようなメカニズムを適用できる幾つかの具体例としては、アナログテレビジョン放送、デジタルテレビジョン放送、アナログオーディオ放送、デジタルオーディオ放送等がある。
【発明を実施するための最良の形態】
【００３７】
以下では、機能的及び構造的に類似又は同様の要素及び構造については、同じ参照符号を付す。これらが出現する毎に同じ詳細な説明は繰り返さない。
【００３８】
図１は、システム１０を選局する本発明に基づく選局方法の幾つかの基本的な側面、及び本発明に基づく選局方法が実現される選局装置及びシステム１０を示すブロック図である。
【００３９】
本発明では、例えば、無線周波信号すなわちＲＦ信号である信号が受信される。受信信号は、可能な又は潜在的サービスｓ１，…，ｓｎに対応するサービス信号Ｓ１，…，Ｓｎを含む。このサービス信号Ｓ１，…，Ｓｎは、所定の周波数ｆ１，…，ｆｎの搬送波Ｃ１，…，Ｃｎに対応している。
【００４０】
図１に示すように、第１のチューナＴ１が実行する第１の選局処理Ｐ１では、検索周波数ｆｓを掃引することによって、すなわち、検索周波数ｆｓを開始周波数ｆ０から開始し、順次増加することによって、受信ＲＦ信号においてサービス信号Ｓ１，…，Ｓｎを検索する。所定の周波数ｆｊの搬送波ｃｊが検出されると、第１の選局処理Ｐ１又は第１のチューナ機器Ｔ１から第２の選局処理Ｐ２又は第２のチューナ機器Ｔ２に、通信チャンネルＣＣが開設され、検出された周波数ｆｊと、存在すれば、検出された信号ｓｊからの更なる識別情報と、各サービスｓｊ及び搬送波ｃｊに関する情報が、第１の選局処理Ｐ１又は第１のチューナＴ１から第２の選局処理Ｐ２及び第２のチューナＴ２に供給される。第１の選局処理Ｐ１及び第１のチューナＴ１から、第２の選局処理Ｐ２及び第２のチューナＴ２に周波数ｆｊに関する情報を供給した後に、第２の選局処理Ｐ２及び第２のチューナＴ２は、受信された無線周波数信号に含まれている受信サービス信号ｓｊの所定の周波数ｆｊを有するそれぞれの搬送波ｃｊと共に、検出されたサービスＳｊを登録し、及びこれを調べることによって、システム１０に各サービスＳｊを登録するために有用及び必要である情報データを生成する。
【００４１】
図２は、第１及び第２の選局処理Ｐ１、Ｐ２の異なる側面及び対応する選局回路Ｔ１、Ｔ２のそれぞれの機能を更に詳細に示している。
【００４２】
なお、ここでは、まず、図３を参照して、従来の選局処理について説明する。
【００４３】
従来の選局処理は、初期化され、ステップ１において、開始周波数を検索周波数ｆｓの値として設定することによって受信した無線周波数信号の解析が開始される。そして、ステップ２において、周波数を増加する。
【００４４】
周波数の増加は、一定間隔で行われる。これに代えて、周波数を一定間隔で低減してもよい。この周波数変更の変形例は、これまでの説明にも以下の説明にも同様に適用される。
【００４５】
ステップ２において、周波数を増加又は低減した後に、ステップ３において、増加又は低減された周波数が放送周波数帯域内（loud processing）すなわち検索処理の範囲内にあるか否かを判定する。増加された周波数がこの範囲を超えた場合、選局処理を停止し、処理を終了する。検索周波数ｆｓの増加された周波数値が上述した範囲内にある場合、ステップ４において、システムを可能なサービスに選局する。これに続くステップ５において、所定の検索周波数ｆｓについて、サービスが検出されるか否かを判定する。ステップ６において、現在の検索周波数ｆｓについてサービスを検出できない場合、処理は、ステップ２に戻り、検索周波数ｆｓを更に増加する。一方、ステップ６において、サービスが検出された場合、検索周波数ｆｓの更なる検索及び増加の処理は、中止される。そして、ステップ７において、検索周波数ｆｓの最新の値を観測周波数ｆｏとし、この観測周波数ｆｏにおいて、検出されたサービスを観測する。これにより、必要な登録又は情報データＩＤを抽出し、ステップ８において、サービスデータベースに保存した後、処理はステップ２に戻り、検索周波数ｆｓを更に増加させる。
【００４６】
図３からわかるように、受信無線周波数信号に含まれている可能性があるサービスを検索し、検出された各サービスにシステムを選局する処理は、サービスを更に観測し、解析するために中断される。そして、検索及び選局処理は、最近に検出されたサービスが解析され、それぞれの情報データＩＤがサービスデータベースに保存された後に再開される。
【００４７】
図２は、この従来の処理を改善した本発明に基づく選局方法の処理構造を示している。
【００４８】
まず、ステップ１ａにおいて、開始周波数を設定することにより、処理全体を初期化することによって、第１のチューナ機器Ｔ１によって実行される第１の選局処理Ｐ１を開始する。次に、ステップ２ａにおいて、開始周波数を増加し、検索周波数ｆｓとして用いる。
【００４９】
ここでも、周波数は、一定間隔で増加される。また、これに代えて、周波数を一定間隔で低減してもよい。この周波数変更の変形例は、これまでの説明にも以下の説明にも同様に適用される。
【００５０】
そして、ステップ３ａにおいて、増加／低減された検索周波数ｆｓが所定の範囲内にあるか否かを判定する。検索周波数が所定の範囲内にない場合、次のステップ４ａにおいて、第２の選局処理Ｐ２及び第２のチューナＴ２に終了メッセージを送る。この場合、選局処理Ｐ１、Ｐ２は、いずれも終了する。増加／低減された検索周波数ｆｓが所定の範囲内にある場合、次のステップ５ａにおいて、第１のチューナＴ１における第１の選局処理Ｐ１により、サービスを検索する。ステップ６ａにおいて、現在の検索周波数ｆｓについてサービスを検出できない場合、処理は、ステップ２ａに戻り、検索周波数ｆｓを更に増加する。サービスが検出された場合、ステップ７ａにおいて、検出された周波数ｆｊを検索周波数ｆｓの値とし、サービス信号ｓｊに関連付け、対応するサービスｓｊを第２の選局処理Ｐ２及び第２のチューナＴ２に送信及び通信される。ここでは、従来の手法とは異なり、サービスｓｊを検出し、各周波数ｆｊを第２の選局処理Ｐ２に供給すると、直ちに、更なるサービスの検索を再開し、すなわち、処理は、ステップ２ａに戻り、検索周波数ｆｓを更に増加させる。すなわち、本発明に基づく選局方法では、従来の手法とは異なり、サービスの検索は、他の処理によって割込みをかけられることなく継続し、各サービスを登録する処理は、外部の処理、すなわち、第２の選局処理Ｐ２で実行される。
【００５１】
第２の選局処理Ｐ２は、各メッセージを受け取る第１のステップ１ｂから開始される。このメッセージは、上述のように、周波数が所定の範囲外である場合に対応する終了メッセージであってもよく、又は、第１のチューナＴ１によって実行される第１の選局処理Ｐ１によって検出されたサービスｓｊの周波数ｆｊを含むメッセージであってもよい。そして、周波数ｆｊを受け取った後、次のステップ３ｂにおいて、選局周波数又は観測周波数ｆｏを、この受信した周波数値ｆｊに設定する。そして、次のステップ４ｂにおいて、周波数ｆｊのサービス信号ｓｊに対応する各サービスｓｊを観測し、この観測から、それぞれの情報データＩＤを抽出する。そして、ステップ５ｂにおいて、情報データＩＤをサービスデータベースに保存する。サービスデータベースに情報データＩＤを保存した後、第２の選局処理Ｐ２は、ステップ１ｂに戻り、更なるメッセージを受け取る。処理ステップ１ｂにおいて受け取った各メッセージは、処理ステップ２ｂにおいて解析される。ステップ２ｂにおいて、受信メッセージが終了メッセージである場合、第２の選局処理Ｐ２の処理を終了する。
【図面の簡単な説明】
【００５２】
【図１】本発明に基づく選局処理及び本発明に基づく選局システムの第１の好適な実施形態を示すブロック図である。
【図２】本発明に基づくシステムの選局方法の更なる好適な実施形態のフローチャートである。
【図３】従来のシステムの選局方法のフローチャートである。
【符号の説明】
【００５３】
１０ 選局されるシステム、ｃｊ  搬送波、搬送波信号、ｊ＝１，…，ｎ、
Ｄ  ディスプレイ、ｆｊ  周波数、ｊ＝１，…，ｎ、
ｆｏ  観測周波数、選局周波数、ｆｓ  検索周波数、Ｐ１  第１の選局処理、Ｐ２  第２の選局処理、Ｓｊ  サービス、潜在的サービス、ｊ＝１，…，ｎ、ｓｊ  サービス信号、潜在的サービス信号、ｊ＝１，…，ｎ、Ｔ１  第１のチューナ機器、第１のチューナ、Ｔ２  第２のチューナ機器、第２のチューナ
【図１】
2006270933.tif 000003
【図２】
2006270933.tif 000004
【図３】
2006270933.tif 000005
【外国語明細書】
2006270933000001.pdf
2006270933000002.pdf
2006270933000003.pdf
2006270933000004.pdf